(57)【要約】【課題】  ケース等に製造誤差や組付け誤差等が生じていたとしても防水性能の低下を防止する。【解決手段】  アッパーケース２の開口端面１１にはパッキン収納用溝１２が設けられ、このパッキン収納溝１２の底部１３の２つの角部には張出部１４，１４が設けられている。パッキン４は断面が矩形状に形成され、底板３でアッパーケース２の開口を覆うことにより、パッキン収納溝１２に収納されたパッキン４は底板３のリブ１６によって底部１３側に押圧される。リブ１６はパッキン収納溝１２内に入り込み、押圧面１７には２つの凸条体１８，１８が設けられている。【選択図】  図５
2006203127.tif 000002
【特許請求の範囲】
【請求項１】
一面が開口したケースとこのケースの開口を覆う閉塞体とを備え、前記ケースの開口端面をパッキンを介して前記閉塞体と突き合わせることにより筺体を形成する電子機器の防水構造において、前記パッキンの断面を矩形状に形成し、前記ケースの開口端面に全周にわたって前記パッキンと略同じ断面形状に形成したパッキン収納用溝を設け、このパッキン収納用溝の底部の２つの角部に全周にわたって張出部を一体に設けたことを特徴とする電子機器の防水構造。
【請求項２】
請求項１記載の電子機器の防水構造において、前記閉塞体に全周にわたって前記パッキンを押圧するリブを一体に設け、このリブが前記パッキン収納用溝内に入り込んだ状態で前記パッキンを押圧することを特徴とする電子機器の防水構造。
【請求項３】
請求項１または２記載の電子機器の防水構造において、前記閉塞体の前記パッキンを押圧する押圧面に全周にわたって複数の凸条体を一体に設けたことを特徴とする電子機器の防水構造。
【発明の詳細な説明】
【技術分野】
【０００１】
本発明は、一面が開口したケースの開口端面をパッキンを介して閉塞体によって突き合わせて筺体を形成する電子機器の防水構造に関するものである。
【背景技術】
【０００２】
従来は箱体の開口端面に溝を設け、この溝内にパッキンを挿入し、挿入されたパッキンを蓋体によって溝の底部側に押圧するものがある（例えば、特許文献１参照）。また、ロアーケースの開口端面に全周にわたってパッキンを挿入するＵ字溝を形成するとともに、開口端面から係合孔が設けられた囲い壁を立設し、アッパーケースに突設した係合突起を係合孔に係合させて、アッパーケースとロアーケースとの開口端面を突き合わせることにより、アッパーケースの開口端面によりＵ字溝内に挿入したパッキンを押圧するものもある（例えば、特許文献２参照）。なお、本出願人は、本明細書に記載した先行技術文献情報で特定される先行技術文献以外には、本発明に密接に関連する先行技術文献を出願時までに見付け出すことはできなかった。
【特許文献１】実開平４−２０２９２号公報（４頁８〜１８行、第１図）
【特許文献２】実開平６−６００２７号公報（段落「００１０」および「００１１」、図２）
【発明の開示】
【発明が解決しようとする課題】
【０００３】
上述した従来の電子機器の防水構造においては、いずれもケースまたは蓋体の端面とパッキンとが一面において圧接する構造を呈しているため、蓋体やケースにゆがみやソリ等の製造誤差が発生したり組付け誤差等が生じると、防水性能が低下するという問題があった。また、ケースまたは蓋体の端面によってパッキン全体を押圧する構造としていることにより、パッキンの弾性変形量が充分得られないため防水性能を向上させることができないという問題もあった。
【０００４】
本発明は上記した従来の問題に鑑みなされたものであり、その目的とするところは、ケース等に製造誤差や組付け誤差等が生じていたとしても防水性能の低下を防止することにある。
【課題を解決するための手段】
【０００５】
この目的を達成するために、請求項１に係る発明は、一面が開口したケースとこのケースの開口を覆う閉塞体とを備え、前記ケースの開口端面をパッキンを介して前記閉塞体と突き合わせることにより筺体を形成する電子機器の防水構造において、前記パッキンの断面を矩形状に形成し、前記ケースの開口端面に全周にわたって前記パッキンと略同じ断面形状に形成したパッキン収納用溝を設け、このパッキン収納用溝の底部の２つの角部に全周にわたって張出部を一体に設けたものである。
【０００６】
請求項２に係る発明は、請求項１に係る発明において、前記閉塞体に全周にわたって前記パッキンを押圧するリブを一体に設け、このリブが前記パッキン収納用溝内に入り込んだ状態で前記パッキンを押圧する。
【０００７】
請求項３に係る発明は、請求項１または２に係る発明において、前記閉塞体の前記パッキンを押圧する押圧面に全周にわたって複数の凸条体を一体に設けたものである。
【発明の効果】
【０００８】
請求項１に係る発明によれば、パッキン収納用溝に収納されたパッキンは閉塞体によって押圧されることにより、パッキンが張出部と２箇所において圧接するため、ケースと閉塞体とに製造誤差や組付け誤差が生じていたとしても、従来のように一面で圧接する場合と比較して防水性能の低下を防止できる。また、張出部によってパッキン全体を押圧するのではなく部分的に押圧するため、パッキンの弾性変形量を大きくすることができるから防水性能を向上させることができる。
【０００９】
請求項２に係る発明によれば、アッパーケースの開口端面からリブの押圧面を経由して筺体内へ水が侵入する経路が長くなるため防水性能が向上する。
【００１０】
請求項３に係る発明によれば、閉塞体の凸状体によって複数箇所においてパッキンを押圧することができるため防水性能が向上する。
【発明を実施するための最良の形態】
【００１１】
以下、本発明の実施の形態を図に基づいて説明する。図１は本発明に係る電子機器を分解して底面側から見た斜視図、図２は同じくアッパーケースの底面図、図３は同じくロアーケースの平面図、図４は同じくパッキンを組み付ける前の状態を示す図３におけるIV-IV 線断面図、図５は同じくパッキンを組付けた状態を示す図３におけるIV-IV 線断面図である。なお、図３においてはロアーケースのみが図示されているが、図４および図５は、図３においてロアーケースにアッパーケースが組み付けられた状態の断面図を示している。
【００１２】
図１に全体を符号１で示す電子機器の筺体は、プラスチックによって形成され一面が開口したアッパーケース２と、このアッパーケース２の開口を覆うプラスチックによって形成された閉塞体としての底板３と、アッパーケース２の開口端面と底板３との間に介在するパッキン４とによって概略構成されている。アッパーケース２は、上面板６と、この上面板６の周端から一体に立設された囲い壁７と、この囲い壁７の先端側の全周に設けた袴部８とによって一体に形成されており、上面板６と対向する部位に開口部９が設けられ、上面板６の周縁には複数のボス１０が一体に突設されている。袴部８の開口端面１１には、全周にわたってパッキン収納溝１２が設けられており、このパッキン収納溝１２は、図４に示すように断面が略矩形状に形成され、底部１３の２つの角部に断面が三角形の張出部１４，１４が全周にわたって一連かつ一体に設けられている。
【００１３】
底板３の周端には、全周にわたってリブ１６が一体に立設され、このリブ１６の幅Ｂ１は上記したアッパーケース２のパッキン収納溝１２の幅Ｂ２よりも小さく形成されており、このリブ１６の押圧面１７には、全周にわたって２つの凸条体１８，１８が一連かつ一体に突設されている。リブ１６は、後述するようにアッパーケース２に底板３を組み付けることにより、押圧面１７がパッキン収納溝１２の底部１３に対向するように、パッキン収納溝１２内に入り込むように構成されている。１９は底板３の周縁に設けたねじ挿通孔である。
【００１４】
パッキン４はゴム材によって断面が矩形状で全体が平面視において枠状に形成されており、高さＴ１は上記したパッキン収納溝１２の深さＴ２よりも小さく形成され、幅Ｂ３はパッキン収納溝１２の幅Ｂ２よりもわずかに小さく形成されている。
【００１５】
このように構成されていることにより、アッパーケース２のパッキン収納溝１２にパッキン４を挿入し、アッパーケース２の開口部９を底板３によって覆い、底板３のねじ挿通孔１９に挿通したねじ（図示せず）をアッパーケース２のボス１０に螺合させることにより、電子機器１の筺体を形成する。
【００１６】
このとき、底板３のリブ１６の先端部が、図５に示すようにアッパーケース２のパッキン収納溝１２内に入り込み、押圧面１７によってパッキン４をパッキン収納溝１２の底部１３に押し付ける。したがって、パッキン４の２つの角部が底部１３の２つの張出部１４，１４によって弾性変形することにより、パッキン４は２つの張出部１４，１４と２箇所において圧接する。このため、アッパーケース２と底板３とに製造誤差や組付け誤差が発生したとしても、従来のように一面で圧接する場合と比較して防水性能の低下を防止できる。また、張出部１４によってパッキン５全体を押圧するのではなく部分的に押圧することができるため、パッキン４の弾性変形量を大きくすることができるから防水性能を向上させることができる。
【００１７】
また、底板３のリブ１６がパッキン収納用溝１２内に入り込んだ状態でパッキン４を押圧する構造としているため、アッパーケース２の開口端面１１からリブ１６の押圧面１７を経由して筺体内へ水が侵入する経路が長くなるため防水性能が向上する。また、底板３の押圧面１７の凸状体１８，１８によって、複数箇所においてパッキン４を押圧するため防水性能が向上する。
【００１８】
なお、本実施の形態においては、電子機器１の筺体をアッパーケース２と底板３とによって形成したが、底板３をアッパーケース２と同様に一面に開口を有するロアーケースとし、これら両ケースを互いの開口端面を突き合わせて合体させることにより電子機器１の筺体を形成するようにしてもよいし、アッパーケース２を閉塞体としてロアーケースの開口を閉塞体によって覆うようにしてもよい。
【図面の簡単な説明】
【００１９】
【図１】本発明に係る電子機器を分解して底面側から見た斜視図である。
【図２】本発明に係る電子機器におけるアッパーケースの底面図である。
【図３】本発明に係る電子機器におけるロアーケースの平面図である。
【図４】本発明に係る電子機器において、パッキンを組み付ける前の状態を示す図３におけるIV-IV 線断面図である。
【図５】本発明に係る電子機器において、パッキンを組付けた状態を示す図３におけるIV-IV 線断面図である。
【符号の説明】
【００２０】
１…電子機器、２…アッパーケース、３…底板（閉塞体）、４…パッキン、１１…開口端面、１２…パッキン収納用溝、１４…張出部、１６…リブ、１７…押圧面、１８…凸条体。
【図１】
2006203127.tif 000003
【図２】
2006203127.tif 000004
【図３】
2006203127.tif 000005
【図４】
2006203127.tif 000006
【図５】
2006203127.tif 000007